(57)【特許請求の範囲】
【請求項１】
プレス機の金型取付面に、パンチ又はダイを備えた金型を固定させる金型固定構造であって、
該金型取付面に複数配置された金型支持体が、（ａ）該金型取付面から垂直方向に突出するように配置された進退移動可能な軸部と、（ｂ）該軸部の先端側に設けられ軸直角方向に延びるフランジ部と、（ｃ）該フランジ部よりも更に前記軸部の先端側に設けられ、該フランジ部よりも外径が大なるベアリング部と、を有しており、
該ベアリング部の上方及び前記フランジ部の前記金型取付面側の側方に前記金型の一部が位置する配置で、前記金型支持体のベアリング部にて前記金型を支持し、前記軸部の進退により前記金型の前記金型取付面への固定及び解除を行うことを特徴とする金型固定構造。
【請求項２】
請求項１において、前記金型の前記金型取付面と対向する面には、直線状に延びる断面Ｔ字状の溝部が形成されていて、前記フランジ部及びベアリング部を含む前記金型支持体の先端部が該溝部に嵌入した状態で、前記金型を支持することを特徴とする金型固定構造。
【請求項３】
請求項２において、前記金型の前記溝部を複数平行に形成し、それぞれの溝部に複数の前記金型支持体の先端部が嵌入した状態で、前記金型を支持することを特徴とする金型固定構造。
【請求項４】
請求項１〜３の何れかにおいて、前記金型の前記金型取付面と対向する面には位置決め用の凸部又は凹部が、また前記金型取付面には位置決め用の凹部又は凸部がそれぞれ設けられており、該金型が該金型取付面に接近した際、前記凸部と凹部とが嵌合して、該金型の位置決めが行なわれることを特徴とする金型固定構造。
【発明の詳細な説明】
【技術分野】
【０００１】
この発明は金型固定構造に関し、特に金型交換を容易に行うことが可能な金型固定構造に関する。
【背景技術】
【０００２】
例えば、ダイ及びパンチを備えた鍛造加工部が水平方向に複数並設された多段式鍛造プレス機においては、複数のダイを備えた固定金型がフレーム側に、また複数のパンチを備えた可動金型がラム側にそれぞれ取付固定されている。
これらの金型は、異なる形状の製品を製造する際、適宜交換されるが、金型は場合によっては数トンにも及ぶ重量物であるため、金型交換作業は容易なものではなくその作業性の向上が望まれていた。
【０００３】
一般に多段式鍛造プレス機においては、フレームの上面が開放状態となっているため、この開放空間を通じてクレーン若しくは専用の金型吊り装置を使用し、金型交換作業を行なっていた。
しかしながら、クレーンを使用して金型を交換する場合は作業時間が長くなり、設備の稼働率が低下し生産性が阻害されてしまう。
一方、専用の金型吊り装置を設置して金型交換を行う場合には、プレス機上に常時金型吊り装置の構造物が設置された状態となり、装置のメンテナンス作業時にこの金型吊り装置の構造物と干渉が生じるなどして作業性が悪化してしまう問題が生じる。
【０００４】
これに対して下記特許文献１には、「金型交換装置」についての発明が示され、そこにおいて、金型が取付固定される金型取付面上に搬送ローラを水平方向に複数配置し、金型交換時この搬送ローラを利用して金型を水平方向に移動させ、金型の搬出又は搬入を行なうようになしたものが開示されている。
【０００５】
また下記特許文献２には、「多段式横型鍛造装置」についての発明が示され、そこにおいて可動金型及び固定金型をそれぞれ分割ブロックを介してラム及びフレームに装着させるとともに、これら分割ブロックに水平方向に延びるレール溝を設けておき、金型交換時はレール溝の案内により分割ブロックごと可動金型及び固定金型を水平方向に引き出すようになした点が開示されている。
【０００６】
これら特許文献１及び特許文献２に記載のものは、金型交換時に搬送ローラ等を利用して金型を水平方向に引き出すことで、従来のようにクレーン等を使用して金型を交換する必要が無くなり、比較的容易に金型の交換を行うことが可能となる。
しかしながら、金型と、金型が固定されている金型取付面との間には、通常位置決め等を目的とした係合部分が存在するため、これら特許文献に記載のもののように、金型を機外に向けて水平方向に搬出移動させるためには、単に金型取付面に固定されている金型に対する固定力を解除するだけでなく、更に金型と金型取付面との係合が完全に解除される状態となるまで、重量物の金型を金型取付面から離間させなければならない。
これに対し特許文献１，２に記載のものは、単に金型を水平方向に搬出移動させるための搬送ローラ等の搬送手段を固定的に追加したものにすぎず、これら特許文献には固定力を解除し、次に金型取付面から金型を離間させて、搬出移動可能な状態とする一連の動作を実施するための具体的な構成についての開示はない。
【先行技術文献】
【特許文献】
【０００７】
【特許文献１】特開平１０−４４１５７号公報
【特許文献２】特開２０１１−２１２７３３号公報
【発明の概要】
【発明が解決しようとする課題】
【０００８】
本発明は以上のような事情を背景とし、機内に搬入した金型を金型取付面に固定する作業、及び金型取付面に固定されている金型を機外に搬出する作業を容易に行うことができる金型固定構造を提供することを目的としてなされたものである。
【課題を解決するための手段】
【０００９】
而して請求項１のものは、プレス機の金型取付面に、パンチ又はダイを備えた金型を固定させる金型固定構造であって、該金型取付面に複数配置された金型支持体が、（ａ）該金型取付面から垂直方向に突出するように配置された進退移動可能な軸部と、（ｂ）該軸部の先端側に設けられ軸直角方向に延びるフランジ部と、（ｃ）該フランジ部よりも更に前記軸部の先端側に設けられ、該フランジ部よりも外径が大なるベアリング部と、を有しており、該ベアリング部の上方及び前記フランジ部の前記金型取付面側の側方に前記金型の一部が位置する配置で、前記金型支持体のベアリング部にて前記金型を支持し、前記軸部の進退により前記金型の前記金型取付面への固定及び解除を行うことを特徴とする。
【００１０】
請求項２のものは、請求項１において、前記金型の前記金型取付面と対向する面には、直線状に延びる断面Ｔ字状の溝部が形成されていて、前記フランジ部及びベアリング部を含む前記金型支持体の先端部が該溝部に嵌入した状態で、前記金型を支持することを特徴とする。
【００１１】
請求項３のものは、請求項２において、前記金型の前記溝部を複数平行に形成し、それぞれの溝部に複数の前記金型支持体の先端部が嵌入した状態で、前記金型を支持することを特徴とする。
【００１２】
請求項４のものは、請求項１〜３の何れかにおいて、前記金型の前記金型取付面と対向する面には位置決め用の凸部又は凹部が、また前記金型取付面には位置決め用の凹部又は凸部がそれぞれ設けられており、該金型が該金型取付面に接近した際、前記凸部と凹部とが嵌合して、該金型の位置決めが行なわれることを特徴とする。
【００１３】
以上のように本発明は、金型取付面に複数配置された金型支持体が、進退移動可能な軸部と、軸部の先端側に設けられたフランジ部と、フランジ部よりも更に軸部の先端側に設けられフランジ部よりも外径が大なるベアリング部と、を有しており、ベアリング部の上方及びフランジ部の金型取付面側の側方に金型の一部が位置する配置で、金型支持体のベアリング部にて金型を支持し、軸部の進退により金型の金型取付面への固定及び解除を行うようになしたものである。
【００１４】
本発明では、新たな金型を金型取付面に固定する際、金型支持体の先端部が金型取付面に接近する方向に金型支持体の軸部を移動させることで、機外から搬入した金型をベアリング部で支持したまま、金型取付面に接近させることができる。
即ち、金型がベアリング部とともに金型取付面接近方向に移動するので、ベアリング部との間に過大な摩擦力が生じることはなく、容易に金型を金型取付面接近方向に移動させることができる。
また金型が金型取付面に接した後は、フランジ部と金型取付面とで金型の一部を挟みつけて金型の位置固定を行なうことができる。
このように本発明では、機外から搬入した金型を金型取付面に接近させ、位置固定するまでの一連の動作を、軸部を移動させることで連続的に行なうことができる。
【００１５】
一方、固定状態の金型を取り外す際には、金型支持体の先端部が金型取付面から離間する方向に軸部を移動させることで、固定状態にあった金型に対する固定力が解除されるのに続いて、金型を、金型取付面との係合が解除される位置まで、金型取付面から離間させることができる。
この際、金型がベアリング部とともに離間方向に移動するので、ベアリング部との間に過大な摩擦力が生じることはなく、容易に金型を所定の位置まで離間方向に移動させることができる。
そしてベアリング部とともに金型が離間方向に位置移動した後は、金型と金型取付面との間で干渉を生じることなく、金型をベアリング部の回転方向、即ち機外への搬出方向に移動させることができる。
このように本発明では、位置固定された金型の固定力を解除し、金型を金型取付面から離間させ、機外へ搬出可能な状態とするまでの一連の動作を、軸部を移動させることで連続的に行なうことができる。
【００１６】
ここで本発明では、金型支持体のベアリング部で、金型の端面を支持することも可能であるが、請求項２に従って金型の金型取付面と対向する面に、直線状に延びる断面Ｔ字状の溝部を形成し、金型支持体の先端部をこの溝部に嵌入させて、金型を支持することができる。
この請求項２によれば、金型支持体の先端部の上下方向及び左右方向（金型の搬入・搬出方向と直交する方向）に溝部の内壁面が位置するため、金型の搬入及び搬出時に搬入・搬出方向と直交する方向の金型のガタつきを良好に制限し得て、金型を目的方向にスムーズに移動させることができる。
また金型支持体の先端部は、金型を固定した状態で金型内部、詳しくは溝部に収納され、金型の周辺に突出状態で残ることがないため、金型交換以外の作業、例えば装置のメンテナンス作業時にこの金型支持体の先端部と干渉が生じるなどして作業性が悪化してしまうといった問題が生じることもない。
【００１７】
上記請求項２において、特に溝部を複数、平行に形成し、それぞれの溝部に複数の金型支持体の先端部を嵌入させて、金型を支持するのが望ましい（請求項３）。
このようにすることで、金型を金型取付面に対して接近・離間させる際に金型が傾くのを良好に防止することができる。
【００１８】
また本発明では、金型の、金型取付面と対向する面に位置決め用の凸部又は凹部を、また金型取付面に位置決め用の凹部又は凸部をそれぞれ設け、金型が金型取付面に接近した際、凸部と凹部とが嵌合して金型の位置決めが行なわれるようにすることができる（請求項４）。
このようにすることで、金型を固定するため金型取付面に接近させた際、金型と金型取付面のそれぞれに設けられた凸部と凹部の嵌合によって、金型の位置決めを自動的に行なうことができる。
また金型取付面に対して金型を離間させた際には、これら凸部と凹部の嵌合も自動的に解消される。
【発明の効果】
【００１９】
以上のような本発明によれば、機内に搬入した金型を金型取付面に固定する作業、及び金型取付面に固定されている金型を機外に搬出する作業を容易に行うことができる金型固定構造を提供することができる。
【図面の簡単な説明】
【００２０】
【図１】本発明の一実施形態の金型固定構造を備えた多段式鍛造プレス機の平面図である。
【図２】図１の多段式鍛造プレス機の鍛造加工部を拡大して示した断面図である。
【図３】図２の金型取付部材と可動金型とを分離して示した斜視図である。
【図４】図２の可動金型の取付固定部分を拡大して示した図である。
【図５】同実施形態における金型交換についての説明図である。
【図６】図５とは異なる金型交換についての説明図である。
【発明を実施するための形態】
【００２１】
次に本発明の実施形態を図面に基づいて詳しく説明する。
図１は本実施形態の金型固定構造を備えた多段式鍛造プレス機を示した図である。
図１において、１０は多段式鍛造プレス機（以下、鍛造プレス機とする場合がある）で、箱型形状をなすフレーム１２の内部にワークを鍛造加工するための複数（ここでは３段）の鍛造加工部が水平方向に一定間隔で並設されている。
鍛造加工部は、フレーム１２側に固定されたダイ１４（図２）と、ダイ１４に対向して配置されたパンチ１６とで構成されている。
各パンチ１６は何れもラム１８の先端側に装着されており、ラム１８の前進移動により各鍛造加工部で材料（ワーク）が同時に成形される。
【００２２】
本例の鍛造プレス機１０ではラム１８の動力源として主モータ２０が設けられている。主モータ２０はベルト２２を介してフライホイール２４に連結され、フライホイール２４はクランク軸２６を介してラム１８に連結されている。
詳しくは、フライホイール軸２５のフライホイール２４とは反対側の端部に設けられたピニオンギア２７と、クランク軸２６の端部に設けられた大ギア２８とが噛み合い状態で連結されている。
このため本例では主モータ２０の動力によりフライホイール２４が回転せしめられるとともに、その動力によりラム１８が進退移動する。即ちラム１８の先端側に装着されたパンチ１６がダイ１４に対して進退し鍛造加工が行なわれる。
【００２３】
このように構成された鍛造プレス機１０において、外部から供給された材料（ワークＷ）は、上記３段の鍛造加工部を順次経由することで所定の形状に成形される。この際、各鍛造加工部へのワークＷの搬送はトランスファ装置３０によって行なわれる。
そして鍛造加工が完了した製品は、図示を省略した搬出装置により機外に搬出される。
【００２４】
図２は、鍛造加工部を拡大して示した図である。同図左側において、３２は水平方向（紙面と直交する方向）に並設された３つのパンチ１６を備えた可動金型、３４はラム１８側に取り付けられた可動側の金型取付部材で、可動金型３２は金型支持体３６を介して金型取付部材３４に着脱可能に取付固定されている。
【００２５】
一方、同図右側において、３８は同じく水平方向に並設された３つのダイ１４を備えた固定金型、４０はフレーム１２側に取り付けられた固定側の金型取付部材で、固定金型３８は金型支持体４２を介して金型取付部材４０に着脱可能に取付固定されている。
【００２６】
以下、可動金型３２における金型固定構造について詳述する。
図３は、可動側の金型取付部材３４と可動金型３２とを分離して示した図である。同図で示すように、可動金型３２の裏面（金型取付部材３４の金型取付面３５と対向する面）における上部と下部には、断面Ｔ字状の溝部４４及び４５がそれぞれ水平方向に直線状に延びている。
そして溝部４４，４５の間には、位置決め用の凹部６４が水平方向に３箇所並設されている。本例ではこれら位置決め用の凹部６４の中心位置を、可動金型３２表面のパンチ１６の中心位置と一致させている。
【００２７】
一方、金型取付部材３４は略平板形状をなしており、可動金型３２が取り付けられる金型取付面３５には上部と下部にそれぞれ金型支持体３６が水平方向に４箇所設けられている。本例ではこれら金型支持体３６の先端部が、それぞれ可動金型３２の溝部４４又は４５に嵌入され、可動金型３２が支持される。
後述するように金型支持体３６の先端部には金型支持体３６の軸心回りに回転可能なベアリング部５２が設けられており、金型搬出の際には可動金型３２は金型支持体３６で支持された状態で水平方向にスライド移動可能とされている。
【００２８】
また金型取付面３５の上部及び下部に設けられた金型支持体３６の間には、可動金型３２における凹部６４と対応する位置にそれぞれ凸部６６が形成されており、可動金型３２が金型取付面３５に固定される際には、凹部６４と凸部６６とが凹凸嵌合することで金型取付面３５に対する可動金型３２の位置決めが行なわれる。
【００２９】
図４は可動金型３２の取付固定部分を拡大して示した図である。
４８は金型取付部材３４の上下方向に延びる金型取付面３５から垂直方向に突出するように配置された軸部で、先端側に向かって大径部４８−１、中径部４８−２、小径部４８−３と順次外径が小さくなる段付き形状をなしており、大径部４８−１の外周面に嵌合しているスリーブ４９によって軸部４８は水平方向に進退可能にガイドされている。
【００３０】
そして中径部４８−２と小径部４８−３との境界部には、軸直角方向に張り出した円環状をなすフランジ部５０が形成され、フランジ部５０の先端側に位置する小径部４８−３の外周には軸部４８の軸中心回りに回転可能な外輪を備えたベアリング部５２が装着されている。
ここでベアリング部５２の外径（詳しくは外輪の外径）は、フランジ部５０の外径よりも大きく設定されている。
本例では可動金型３２を支持する金型支持体３６が、これら軸部４８とフランジ部５０とベアリング部５２とで構成されている。
尚、小径部４８−３のベアリング部５２よりも更に先端側には、ベアリング部５２の抜けを防止するための止め輪５４が装着されている。
【００３１】
図４で示すように本例ではフランジ部５０及びベアリング部５２を含む金型支持体３６の先端部が、可動金型３２に形成された溝部４４に嵌入し、可動金型３２を支持している。詳しくはベアリング部５２の外径がフランジ部５０の外径よりも大きく設定されており、部分拡大図で示すようにベアリング部５２の上部外周面が溝部４４の上壁面４６と当接し可動金型３２を支持している。
一方、ベアリング部５２よりも外径が小さいフランジ部５０と溝部４４の上壁面４６との間には上下方向に隙間が形成されている。
【００３２】
この図４は、可動金型３２が金型取付面３５に位置固定された状態を示している。同図で示すように本例ではフランジ部５０の金型取付面３５側の側方に、溝部４４の左側壁面４７が位置しており、フランジ部５０と金型取付面３５とで可動金型３２の一部、詳しくは溝部４４の左側壁面４７を含む、フランジ部５０と金型取付面３５との間に位置する部分、を挟みつけて可動金型３２を位置固定している。
【００３３】
また図２で示すようにラム１８内部には、油圧シリンダ５６が設けられており、金型支持体３６の軸部４８の基端側には、油圧シリンダ５６の内部を摺動するピストン５７が一体に取り付けられている。
５８は油圧シリンダ５６の容器とピストン５７とにより区画された油圧シリンダ５６における油室で、図示を省略した油圧ポンプからの油が油流路６０を通じて供給されている。
またピストン５７の、油室５８とは反対側の空間にはスプリング６２が設けられている。
尚、６１はスプリング６２が収納されている空間を大気と連通させる連通路である。
【００３４】
本例では、可動金型３２を金型取付面３５に接近させ、更には金型取付面３５に押し付けて位置固定する場合、油室５８内の圧力を高めて軸部４８を図中左向きに移動させる。
また、可動金型３２を金型取付面３５から離間する方向に移動させる場合、油室５８の油圧を低下させ、スプリング６２による図中右向きの付勢力にて軸部４８を図中右向きに移動させる。
【００３５】
次に本実施形態の鍛造プレス機１０における金型交換について、可動金型３２を例に説明する。
例えば図４で示すように、金型取付面３５に固定された状態の可動金型３２を機外に搬出する場合、可動金型３２を支持している金型支持体３６の軸部４８を図中右方向に移動させる。すると先ず可動金型３２を金型取付面３５に押し付けていた固定力が解除される。
これに続いて、可動金型３２は金型支持体３６の先端部とともに金型取付面３５から離間する方向に移動し、金型側の凹部６４と取付面３５側の凸部６６との係合が解除される。図５（Ａ）はその状態を示した図である。
この際、可動金型３２はベアリング部５２とともに離間方向に移動するため、可動金型３２と、可動金型３２の重量を支持しているベアリング部５２との間に過大な摩擦力が生じることはなく、所定の位置まで可動金型３２を離間方向に移動させることができる。
【００３６】
そして可動金型３２の離間方向の移動が完了した後は、図５（Ｂ）で示すように可動金型３２は金型支持体３６（詳しくはベアリング部５２）で支持された状態で、金型支持体３６が並設された方向、即ち機外への搬出方向に移動可能となる。
図５（Ｂ）において、７８は金型搬出方向のフレーム１２の側面に形成された貫通の開口部、８０は開口部７８の外側に配置された金型交換用の台車である。
台車８０の上面には、搬出された可動金型３２を保持するため保持板８２が設けられている。保持板８２の金型保持面８３には、先端部にベアリングを備えた軸体８４が金型支持体３６と同じ高さで水平方向に複数配置されている。
同図で示すように保持板８２は、開口部７８内に進入する方向に移動可能とされており、搬出方向に移動した可動金型３２の溝部４４，４５に、軸体８４の先端部を順次嵌入させて、可動金型３２を支持し、その後保持板８２は可動金型３２とともに機外の台車８０に移動する。これにより可動金型３２の機外への搬出が完了する。
【００３７】
一方、新たな可動金型３２を金型取付面３５に取付固定する場合、新たな可動金型３２を保持した台車８０を開口部７８の位置まで移動させた後、図６（Ａ）で示すように、保持板８２とともに可動金型３２を開口部７８内に移動させる。
その後、可動金型３２を搬入方向に移動させ可動金型３２の溝部４４，４５に金型支持体３６の先端部を順次嵌入させながら、可動金型３２を所定の位置まで移動させる。
その後、図６（Ｂ）で示すように、金型支持体３６の先端部が金型取付面３５に接近する方向（図中左方向）に金型支持体３６の軸部４８を移動させると、金型支持体３６のベアリング部５２で支持されている可動金型３２が金型取付面３５に接近し、金型側の凹部６４と金型取付面３５側の凸部６６とが嵌合して可動金型３２の位置決めが自動的に行なわれる。
【００３８】
その後、更に、可動金型３２が金型取付面３５に接近して可動金型３２が金型取付面３５に接した後は、フランジ部５０と金型取付面３５とで可動金型３２を挟みつけて可動金型３２を金型取付面３５に位置固定する。これにより可動金型３２の取付固定が完了する。
尚、以上の説明では複数ある金型支持体３６のうちの１つについてその動きを説明してきたが、金型交換時において金型支持体３６の軸部４８の進退移動は、複数の金型支持体３６全てについて同時に行なわれる。
【００３９】
以上のように本実施形態では、新たな可動金型３２を金型取付面３５に固定する際、金型支持体３６の先端部が金型取付面３５に接近する方向に軸部４８を移動させることで、機外から搬入した可動金型３２をベアリング部５２で支持したまま、金型取付面３５に接近させることができる。
即ち、可動金型３２がベアリング部５２とともに接近方向に移動するので、ベアリング部５２との間に過大な摩擦力が生じることはなく、容易に可動金型３２を接近方向に位置移動させることができる。
また可動金型３２が金型取付面３５に接した後は、フランジ部５０と金型取付面３５とで可動金型３２を挟みつけて可動金型３２の位置固定を行なう。
このように本実施形態では、搬入した可動金型３２を金型取付面３５に接近させ、位置固定するまでの一連の動作を、軸部４８を移動させることで連続的に行なうことができる。
【００４０】
一方、金型を取り外す際には、金型支持体３６の先端部が金型取付面３５から離間する方向に軸部４８を移動させることで、その過程で固定状態にあった可動金型３２に対する固定力が解除されるのに続いて、可動金型３２と金型取付面３５との係合、詳しくは可動金型３２の位置決め用の凹部６４と、金型取付面３５の位置決め用の凸部６６との係合が解除される位置まで可動金型３２を移動させることができる。
この際、可動金型３２がベアリング部５２とともに離間方向に移動するので、ベアリング部５２との間に過大な摩擦力が生じることはなく、容易に可動金型３２を所定の位置まで離間方向に移動させることができる。
そしてベアリング部５２とともに可動金型３２が離間方向に位置移動した後は、可動金型３２と金型取付面３５との間で干渉を生じることなく、可動金型３２をベアリング部５２の回転方向、即ち機外への搬出方向に移動させることができる。
このように本実施形態では、位置固定された可動金型３２の固定力を解除し、可動金型３２を金型取付面３５から離間させ、機外へ搬出可能な状態とするまでの一連の動作を、軸部４８を移動させることで連続的に行なうことができる。
【００４１】
本実施形態では、可動金型３２の金型取付面３５と対向する面に、直線状に延びる断面Ｔ字状の溝部４４，４５を形成し、金型支持体３６の先端部をこの溝部４４，４５に嵌入させて、可動金型３２を支持するため、金型支持体３６の先端部の上下方向及び左右方向に溝部４４，４５の内壁面が位置するため、可動金型３２の搬入及び搬出時に搬入・搬出方向と直交する方向の金型のガタつきを良好に制限し得て、可動金型３２をスムーズに移動させることができる。
また金型支持体３６の先端部は、可動金型３２を固定した状態で、金型内部、詳しくは溝部４４，４５に収納され、可動金型３２の周辺に突出状態で残ることがないため、金型交換以外の作業、例えばプレス装置のメンテナンス作業時にこの金型支持体３６の先端部と干渉が生じるなどして作業性が悪化してしまうといった問題が生じることもない。
【００４２】
本実施形態では、複数の溝部４４，４５を形成し、それぞれの溝部に対して複数の金型支持体３６の先端部を嵌入させて、可動金型３２を支持するため、可動金型３２を金型取付面３５に対して接近・離間させる際に可動金型３２が傾くのを良好に防止することができる。
【００４３】
また本実施形態では、可動金型３２の金型取付面３５と対向する面に位置決め用の凹部６４を、また金型取付面３５に位置決め用の凸部６６を設けており、金型交換時、可動金型３２を固定するため金型取付面３５に接近させた際、それら凸部６６と凹部６４の嵌合によって可動金型３２の位置決めを自動的に行なうことができる。
【００４４】
以上、可動金型３２における金型固定構造及び金型交換方法について詳述したが、固定金型３８の金型固定構造及び金型交換方法も基本的に同様のものである。
図２において、７０は固定側の金型取付部材４０の上下方向に延びる金型取付面７１から垂直方向に突出するように配置された軸部で、軸部７０の先端側には軸直角方向に張り出した円環状をなすフランジ部５０が形成され、更にその先端側には軸部７０の軸中心回りに回転可能な外輪を備えたベアリング部５２が設けられている。ここでベアリング部５２の外径はフランジ部５０の外径よりも大きく設定されている。
本例では固定金型３８を支持する金型支持体４２が、軸部７０とフランジ部５０とベアリング部５２とで構成されている。
【００４５】
固定金型３８の裏面側には、可動金型３２と同様に断面Ｔ字状の溝部７２，７４がそれぞれ固定金型３８の上部と下部とに形成されており、フランジ部５０及びベアリング部５２を含む金型支持体４２の先端部が、固定金型３８に形成された溝部７２，７４に嵌入し、固定金型３８を支持している。詳しくは、ベアリング部５２の外径がフランジ部５０よりも大きく設定されているため、ベアリング部５２の外面が溝部７２，７４の上壁面と当接し固定金型３８を支持している。
【００４６】
また図２では省略されているが、軸部７０の基端側には、油圧シリンダ７６（図１）の内部を摺動するピストンが一体に取り付けられており、油圧シリンダ７６内の油圧を制御することで軸部７０を進退駆動させて、固定金型３８を金型取付面７１に対して接近・離間方向に移動させることができる。
【００４７】
このため、新たな固定金型３８を金型取付面７１に固定する際、金型支持体４２の先端部が金型取付面７１に接近する方向に軸部７０を移動させることで、機外から搬入した固定金型３８をベアリング部５２で支持したまま、金型取付面７１に接近させることができる。
また固定金型３８が金型取付面７１に接した後は、フランジ部５０と金型取付面７１とで固定金型３８を挟みつけて固定金型３８の位置固定を行なうことができる。
このように固定金型３８の側においても、搬入した固定金型３８を金型取付面７１に接近させ、位置固定するまでの一連の動作を、軸部７０を移動させることで連続的に行なうことができる。
尚、固定金型３８の金型取付面７１と対向する面に位置決め用の凸部８６が、また金型取付面７１に位置決め用の凹部８８が設けてあり、金型交換時、固定金型３８を固定するため金型取付面７１に接近させた際、それら凸部８６と凹部８８の嵌合によって固定金型３８の位置決めが自動的に行なわれる。
【００４８】
一方、金型を取り外す際には、金型支持体４２の先端部が金型取付面７１から離間する方向に軸部７０を移動させることで、その過程で固定状態にあった固定金型３８に対する固定力が解除されるのに続いて、固定金型３８を、金型取付面７１との係合、詳しくは固定金型３８の位置決め用の凸部８６と、金型取付面７１の位置決め用の凹部８８との係合が解除される位置まで移動させることができる。
そしてベアリング部５２とともに固定金型３８が離間方向に位置移動した後は、固定金型３８と金型取付面７１との間で干渉を生じることなく、固定金型３８を機外への搬出方向に移動させることができる。
このように固定金型３８の側においても、位置固定された固定金型３８の固定力を解除し、固定金型３８を金型取付面７１から離間させ、機外へ搬出可能な状態とするまでの一連の動作を、軸部７０を移動させることで連続的に行なうことができる。
【００４９】
以上本発明の実施形態を詳述したがこれはあくまで一例示である。例えば、金型取付面に配置された金型支持体の数量は本例と異なるものであってもよく、また金型の裏面に形成される溝部の数も場合によっては、１又は３以上とすることも可能である。
また本発明は鍛造プレス機以外のプレス機に適用することも可能である等、本発明はその趣旨を逸脱しない範囲において種々変更を加えた態様で実施可能である。
【符号の説明】
【００５０】
１０  多段式鍛造プレス機
１４  ダイ
１６  パンチ
３２  可動金型
３５，７１  金型取付面
３６，４２  金型支持体
３８  固定金型
４４，４５，７２，７４  溝部
４８，７０  軸部
５０  フランジ部
５２  ベアリング部
６４，８８  凹部
６６，８６  凸部
【図１】
0006604904.tif 000002
【図２】
0006604904.tif 000003
【図３】
0006604904.tif 000004
【図４】
0006604904.tif 000005
【図５】
0006604904.tif 000006
【図６】
0006604904.tif 000007